(57)【要約】【課題】直流電流による飽和度を減少させた電力用インダクタに関する。【解決手段】電力用インダクタは、第１及び第２端部を備える磁気コア材料を含む。磁気コア材料に配置されている内側空洞は、第１端部から第２端部に延長される。導体は、空洞を貫通する。磁気コア材料に配置されているスロット型エアーギャップは、第１端部から第２端部に延長される。【選択図】図４
2005039214.tif 000002
【特許請求の範囲】
【請求項１】
電力用インダクタであって、
第１及び第２端部を備える磁気コア材料と、
前記第１端部から前記第２端部に延長される前記磁気コア材料に配置される内側空洞と、
前記空洞を貫通する導体と、
前記第１端部から前記第２端部に延長される前記磁気コア材料に配置されるスロット型エアーギャップとを備える電力用インダクタ。
【請求項２】
請求項１の電力用インダクタと、前記電力用インダクタと連結しているＤＣ／ＤＣコンバータとを備えるシステム。
【請求項３】
前記スロット型エアーギャップは、前記導体と平行な方向に前記磁気コア材料に配置されることを特徴とする請求項１に記載の電力用インダクタ。
【請求項４】
前記スロット型エアーギャップ及び前記導体間の前記空洞における前記スロット型エアーギャップの内側開口、及び前記スロット型エアーギャップの外側開口のうち少なくとも１つに隣接し配置される渦電流減少材料を更に備え、前記渦電流減少材料の透磁率は、前記磁気コア材料の透磁率より低いことを特徴とする請求項１に記載の電力用インダクタ。
【請求項５】
前記導体は、前記磁気コア材料の第１側面に沿って前記空洞を貫通し、前記スロット型エアーギャップは、前記第１の側面の反対側にある前記磁気コア材料の第２側面に配置されることを特徴とする請求項１に記載の電力用インダクタ。
【請求項６】
前記導体は、前記磁気コア材料の第１側面に沿って前記空洞を貫通し、前記スロット型エアーギャップは、前記第１の側面に隣接した第２側面に配置されることを特徴とする請求項１に記載の電力用インダクタ。
【請求項７】
第２の導体は、前記第１の側面に沿って前記空洞を貫通することを特徴とする請求項５に記載の電力用インダクタ。
【請求項８】
前記導体及び前記第２導体間の前記第１の側面から外側に延長される前記磁気コア材料の突出を更に備えることを特徴とする請求項７に記載の電力用インダクタ。
【請求項９】
前記スロット型エアーギャップは、前記突出の上側に前記磁気コア材料の反対側に配置されることを特徴とする請求項８に記載の電力用インダクタ。
【請求項１０】
前記磁気コア材料に配置される第２空洞と、
前記空洞及び前記第２空洞間に配置される前記磁気コア材料の中央部と、
前記第１側面に隣接した前記第２空洞を貫通する第２導体と、
前記第２側面と反対側の第３側面に配置される第２のスロット型エアーギャップとを更に備えることを特徴とする請求項６に記載の電力用インダクタ。
【請求項１１】
前記磁気コア材料に配置される第２空洞と、
前記空洞及び前記第２空洞間の前記磁気コア材料に配置される中央「Ｔ」型部と、
前記第１の側面に隣接した前記第２空洞を貫通する第２導体とを更に備え、前記第１導体は、前記第１の側面に隣接し配置されることを特徴とする請求項１に記載の電力用インダクタ。
【請求項１２】
前記スロット型エアーギャップは、前記中央「Ｔ」型部の一側上の前記第１側面の反対側に位置する第２側面に配置され、第２スロット型エアーギャップは、前記中央「Ｔ」型部の反対側上の前記第１側面の反対側に位置する前記第２側面に配置されることを特徴とする請求項１１に記載の電力用インダクタ。
【請求項１３】
前記スロット型エアーギャップは、前記第１の側面に隣接した前記磁気コア材料の第２側面に配置され、第２スロット型エアーギャップは、前記第２側面と反対側の第３側面に配置されることを特徴とする請求項１１に記載の電力用インダクタ。
【請求項１４】
前記渦電流減少材料は、低い透磁率を有することを特徴とする請求項４に記載の電力用インダクタ。
【請求項１５】
前記渦電流減少材料は、軟磁性材料を含むことを特徴とする請求項１４に記載の電力用インダクタ。
【請求項１６】
前記導体の表面上には、絶縁材が配置されていることを特徴とする請求項４に記載の電力用インダクタ。
【請求項１７】
前記突出は、前記磁気コア材料の透磁率より低い透磁率を有する材料を含むことを特徴とする請求項８に記載の電力用インダクタ。
【請求項１８】
前記材料は、軟磁性材料を含むことを特徴とする請求項１７に記載の電力用インダクタ。
【請求項１９】
前記磁気コア材料の断面形状は、正方形、円形、長方形、楕円形、及び長円形のうちの１つであることを特徴とする請求項１に記載の電力用インダクタ。
【請求項２０】
前記軟磁性材料は、粉末金属を含むことを特徴とする請求項１５に記載の電力用インダクタ。
【請求項２１】
前記軟磁性材料は、粉末金属を含むことを特徴とする請求項１８に記載の電力用インダクタ。
【発明の詳細な説明】
【技術分野】
【０００１】
本発明は、インダクタ、特に高い直流電流及び高い動作周波数において動作する時、飽和度のレベルを減少させた磁気コア材料を有する電力用インダクタに関する。
【背景技術】
【０００２】
インダクタは、磁場に基づいて動作する回路素子である。磁場のソースは、電荷の移動即ち電流である。電流が時間によって変化すれば、誘導された磁場もまた時間によって変化する。時間によって変化する磁場は、磁場によってリンクされるインダクタにおいて電圧を誘導する。電流が一定ならば、理想的なインダクタを横切る電圧はゼロである。したがって、インダクタは、定電流又は直流電流に対して短絡回路のように見られる。インダクタにおいて、電圧は、式ν＝Ｌ・ｄｉ／ｄｔによって与えられる。したがって、このようなインダクタにおいては、電流の瞬間変化は発生し得ない。
【０００３】
インダクタは、幅広い種類の回路に使用され得る。電力用インダクタは、比較的高い直流電流、例えば、最大約１００アンペアまでの電流を受信し、比較的高い周波数において動作し得る。例えば、図１を参照すれば、電力用インダクタ２０は、通常反転及び／又は整流作用を利用して直流の任意の電圧を他の電圧に変換するＤＣ／ＤＣコンバータ２４に使われ得る。
【０００４】
図２を参照して、電力用インダクタ２０は、通常磁気コア材料３４を貫通する１巻き以上の導体３０を備える。例えば、磁気コア材料３４は、正方形の外側断面３６、及び磁気コア材料３４の長さを延長する正方形の中央空洞３８を備え得る。導体３０は、中央空洞３８を貫通する。導体３０を通し流れる比較的高いレベルの直流電流は、磁気コア材料３４を飽和させる傾向がある。このような飽和によって、電力用インダクタ２０及びこれを採用する装置の性能が低下される。
【発明の開示】
【発明が解決しようとする課題】
【０００５】
本発明の課題は、高い直流電流及び高い動作周波数において動作する時、飽和度のレベルを減少させた磁気コア材料を有する電力用インダクタを提供することである。
【課題を解決するための手段】
【０００６】
電力用インダクタは、第１及び第２端部を備える磁気コア材料を含む。磁気コア材料に配置されている内側空洞は、第１端部から第２端部に延長される。導体は、空洞を貫通する。磁気コア材料に配置されているスロット型エアーギャップは、第１端部から第２端部に延長される。
【０００７】
他の特徴において、システムは、電力用インダクタを備え、さらに電力用インダクタと連結しているＤＣ／ＤＣコンバータを備える。
【０００８】
他の特徴において、スロット型エアーギャップは、導体と平行な方向に磁気コア材料に配置される。渦電流減少材料は、スロット型エアーギャップ及び導体間の空洞におけるスロット型エアーギャップの内側開口、及びスロット型エアーギャップの外側開口のうち少なくとも１つに隣接し配置される。渦電流減少材料の透磁率は、磁気コア材料の透磁率より低い。
【０００９】
更なる他の特徴において、導体は、磁気コア材料の第１側面に沿って空洞を貫通し、スロット型エアーギャップは、第１の側面の反対側にある磁気コア材料の第２側面に配置される。導体は、磁気コア材料の第１側面に沿って空洞を貫通し、スロット型エアーギャップは、第１の側面に隣接した第２側面に配置される。第２の導体は、第１の側面に沿って空洞を貫通する。磁気コア材料の突出は、導体及び第２導体間の第１の側面から外側に延長される。スロット型エアーギャップは、突出の上側に磁気コア材料の反対側に配置される。
【００１０】
更なる他の特徴において、第２空洞は、磁気コア材料内に配置される。磁気コア材料の中央部は、空洞及び第２空洞間に配置される。第２導体は、第１側面に隣接した第２空洞を貫通する。第２のスロット型エアーギャップは、第２側面と反対側の第３側面に配置される。
【００１１】
他の特徴において、第２空洞は、磁気コア材料に配置される。中央「Ｔ」型部は、空洞及び第２空洞間の磁気コア材料に配置される。第２導体は、第１の側面に隣接した第２空洞を貫通する。第１導体は、第１の側面に隣接し配置される。スロット型エアーギャップは、中央「Ｔ」型部の一側上の第１側面の反対側に位置する第２側面に配置され、第２スロット型エアーギャップは、中央「Ｔ」型部の反対側上の第１側面の反対側に位置する第２側面に配置される。スロット型エアーギャップは、第１の側面に隣接した磁気コア材料の第２側面に配置される。第２スロット型エアーギャップは、第２側面と反対側の第３側面に配置される。
【００１２】
他の特徴において、渦電流減少材料は、低い透磁率を有する。渦電流減少材料は、軟磁性材料を含む。導体の表面上には、絶縁材が配置されている。突出は、磁気コア材料の透磁率より低い透磁率を有する材料を含む。軟磁性材料は、粉末状物質を含む。磁気コア材料の断面形状は、正方形、円形、長方形、楕円形、及び長円形のうちの１つである。
【００１３】
本発明の適用可能な更なる分野は、以下の詳細な説明から明瞭になる。詳細な説明及び特定の実施例は、本発明の好適な実施形態を表し、例示のみを目的とし、本発明の範囲を制限することを意図しない。
【発明を実施するための最良の形態】
【００１４】
好適な実施形態の以下の説明は、本質的にただ例示であり、本発明、その応用又は用途を決して制限しない。明瞭性を保つために、同一の参照符号は、図面において同一の構成要素を表すのに使用される。
【００１５】
図４を参照して、電力用インダクタ５０は、磁気コア材料５８を貫通する導体５４を含む。例えば、磁気コア材料５８は、正方形の外側断面６０、及び磁気コア材料の長さ方向に沿って延長される正方形の中央空洞６４を備え得る。同様に、導体５４は、正方形の断面でありうる。正方形の外側断面６０、正方形の中央空洞６４及び導体５４が示されているが、当業者は、他の形態を採用し得るということを認識する。正方形の外側断面６０、正方形の中央空洞６４及び導体５４の断面が、同一の形状を有する必要はない。導体５４は、空洞６４の一側面に沿って中央空洞６４を貫通する。導体３０を通し流れる比較的高いレベルの直流電流は、磁気コア材料３４を飽和させる傾向がある。これによって、電力用インダクタ及び／又はこれを採用する装置の性能が低下する。
【００１６】
本発明において、磁気コア材料５８は、磁気コア材料５８に沿って長さの方向に走るスロット型エアーギャップ７０を備える。スロット型エアーギャップ７０は、導体５４と平行な方向に延長する。スロット型エアーギャップ７０は、磁気コア材料５８における所定の直流電流のレベルに対する飽和の可能性を減少させる。
【００１７】
図５を参照して、磁束８０は、スロット型エアーギャップ７０によって生成される。磁束８０の下側部分は導体５４側に突出し、導体５４において渦電流を誘導する。好ましい実施形態において、磁束が十分に減少するように導体５４とスロット型エアーギャップ７０の下側との間には、十分な距離「Ｄ」が定義される。一実施形態において、距離Ｄは、導体を貫通して流れる電流、スロット型エアーギャップ７０により決められる幅「Ｗ」、及び導体５４において誘導され得る所望の望ましい最大の渦電流と関連される。
【００１８】
図６の（ａ）及び（ｂ）を参照して、渦電流減少材料８４は、スロット型エアーギャップ７０に隣接し配置され得る。渦電流減少材料は、磁気コア材料より低く、かつ空気より高い透磁率を有する。結果的に、より多くの磁束が空気より材料８４を通し流れる。例えば、磁気絶縁材８４は、軟磁性材料、粉末金属、又は他の任意の適切な材料でありうる。図６（ａ）において、渦電流減少材料８４は、スロット型エアーギャップ７０の下側の開口を横切って延長される。
【００１９】
図６（ｂ）において、渦電流減少材料８４’は、スロット型エアーギャップ７０の外側開口を横切って延長される。渦電流減少材料８４’が磁気コア材料より低く、かつ空気より高い透磁率を有するので、空気より渦電流減少材料を通してより多くの磁束が流れる。したがって、スロット型エアーギャップによって発生される磁束のより少ない量が導体に到達される。
【００２０】
例えば、渦電流減少材料８４は、エアーギャップの空気が相対的に１の透磁率を有するという場合に９の透磁率を有し得る。その結果、磁束の約９０％が材料８４を通し流れ、磁束の約１０％が空気を通し流れる。これによって、導体に到達する磁束が大きく減少し、これは導体における誘導された渦電流を減少させる。認識するように、異なる透磁率を有する他の材料が使われ得る。図７を参照して、スロット型エアーギャップの下部及び導体５４の上部間の距離「Ｄ２」は、導体５４において誘導される渦電流の大きさを減少させるように増加されることもできる。
【００２１】
図８を参照して、電力用インダクタ１００は、第１及び第２空洞１０８及び１１０を定義する磁気コア材料１０４を含む。第１及び第２の導体１１２及び１１４は、第１及び第２の空洞１０８及び１１０にそれぞれ配置される。第１及び第２のスロット型エアーギャップ１２０及び１２２は、各各導体１１２及び１１４の向い側にある一側上の磁気コア材料１０４に配置される。第１及び第２のスロット型エアーギャップ１２０及び１２２は、磁気コア材料１０４の飽和を減少させる。一実施形態において、相互結合Ｍは、０．５の範囲にある。
【００２２】
図９の（ａ）及び（ｂ）を参照して、渦電流減少材料は、１つ以上のスロット型エアーギャップ１２０及び／又は１２２に隣接し配置されてスロット型エアーギャップにより引き起こされる磁束を減少させ、これによって誘導された渦電流を減少させる。図９（ａ）において、渦電流減少材料８４は、スロット型エアーギャップ１２０の下側開口に隣接して位置される。図９（ｂ）において、渦電流減少材料は、スロット型エアーギャップ１２０及び１２２の両側の上側開口に隣接して位置される。認識するように、渦電流減少材料は、スロット型エアーギャップのうちの１つ又は両方に隣接して位置される。磁気コア材料の「Ｔ」型中央部１２３は、第１及び第２の空洞１０８及び１１０を分離する。
【００２３】
スロット型エアーギャップは、多様なところに位置され得る。例えば、図１０（ａ）を参照して、スロット型エアーギャップ７０’が磁気コア材料５８の側面のうちの一面上に配置される。スロット型エアーギャップ７０’の下端は、導体５４の上面の上に配置されることが望ましいが、必然的であるのではない。示されるように、磁束８０’は、内側に放射する。スロット型エアーギャップ７０’が導体５４の上に配置されるので、磁束８０’の効果が減少される。認識するように、渦電流減少材料は、図６の（ａ）及び／又は（ｂ）に示すように磁束をより減小させる為にスロット型エアーギャップ７０’に隣接し配置され得る。図１０（ｂ）において、渦電流減少材料８４’は、スロット型エアーギャップ７０’の外側開口に隣接し位置される。渦電流減少材料８４は、また磁気コア材料５８の内部に位置され得る。
【００２４】
図１１の（ａ）及び（ｂ）を参照して、電力用インダクタ１２３は、中央部１２９によって分離される第１及び第２の空洞１２６及び１２８を定義する磁気コア材料１２４を含む。第１及び第２導体１３０及び１３２は、一面に隣接してそれぞれ第１及び第２空洞１２６及び１２８に配置される。第１及び第２のスロット型エアーギャップ１３８及び１４０は、導体１３０及び１３２と一面に隣接して磁気コア材料の反対側に配置される。スロット型エアーギャップ１３８及び／又は１４０は、図１１ （ｂ）に示すように磁気コア材料１２４の内端１４１と整列されるか、又は図１１ （ａ）に示すように内端１４１から間隔をおける。認識するように、渦電流減少材料は、図６の（ａ）及び／又は（ｂ）に示すようにスロット型エアーギャップのうちの１つ又は両方から発する磁束をより減少させるのに使われ得る。
【００２５】
図１２及び１３を参照して、電力用インダクタ１４２は、第１及び第２の連結型空洞１４６及び１４８を定義する磁気コア材料１４４を含む。第１及び第２導体１５０及び１５２は、それぞれ第１及び第２空洞１４６及び１４８に配置される。磁気コア材料１４４の突出１５４は、導体１５０及び１５２間の磁気コア材料の下面から上側に延長される。突出１５４は、部分的に延長され、上面側に完全に延長されない。望ましい実施形態において、突出１５４の高さは、導体１５０及び１５２の高さより高い。認識するように、突出１５４は、また図１４において参照番号１７０により示されたように磁気コアより低く、かつ空気より高い透磁率を有する材料からなり得る。又は、図１５に示すように、突出及び磁気コア材料両方とも除去され得る。この実施形態において、相互結合Ｍは、略１と同じである。
【００２６】
図１２において、スロット型エアーギャップ１５６は、突出１５４の上側に位置する磁気コア材料１４４に配置される。スロット型エアーギャップ１５６は、突出１５４の幅Ｗ２より狭い幅Ｗ１を有する。図１３において、スロット型エアーギャップ１５６は、突出１５４の上側に位置する磁気コア材料に配置される。スロット型エアーギャップ１５６は、突出１５４の幅Ｗ２より広いか同一の幅Ｗ３を有する。認識するように、渦電流減少材料は、図６の（ａ）及び／又は（ｂ）に示すようにスロット型エアーギャップ１５６から発する磁束をより減少させるのに使われ得る。図１２乃至１４の一部の実施例において、相互結合Ｍは、１の範囲にある。
【００２７】
図１６を参照して、空洞１７４を定義する磁気コア材料１７２を含む電力用インダクタ１７０が示される。スロット型エアーギャップ１７５は、磁気コア材料１７２の一面に形成される。１つ以上の絶縁導体１７６及び１７８が空洞１７４を貫通する。絶縁導体１７６及び１７８は、内側導体１８４を囲む外層１８２を含む。外層１８２は、空気より高く、磁気コア材料より低い透磁率を有する。外層材料１８２は、スロット型エアーギャップにより引き起こされる磁束を減少させ、導体１８４によって別に誘導される渦電流を減少させる。
【００２８】
図１７を参照して、電力用インダクタ１８０は、導体１８４、及び空洞１９０を定義する「Ｃ」型磁気コア材料１８８を含む。スロット型エアーギャップ１９２は、磁気コア材料１８８の一面に位置される。導体１８４は、空洞１９０を貫通する。渦電流減少材料８４’は、スロット型エアーギャップ１９２を横切って位置される。図１８において、渦電流減少材料８４’は、スロット型エアーギャップ内へ延長され、スロット型エアーギャップ１９２によって定義される開口と結合される突出１９４を含む。
【００２９】
図１９を参照して、電力用インダクタ２００は、第１及び第２の空洞２０６及び２０８を定義する磁気コア材料２０４を含む。第１及び第２の導体２１０及び２１２は、それぞれ第１及び第２空洞２０６及び２０８を貫通する。中央部２１８は、第１及び第２空洞の間に位置される。認識するように、中央部２１８は、磁気コア材料及び／又は渦電流減少材料からなり得る。又は、導体が、外層１８２を含むことができる。
【００３０】
金、アルミニウム、及び／又は低い抵抗を有する他の適切な導電性材料が導体として使われ得るが、導体は銅からなり得る。高い透磁率と高い抵抗率を有する他の磁気コア材料が使われ得るが、磁気コア材料はフェライトでありうる。ここで使われるように、フェライトは、マンガン、ニッケル及び／又は亜鉛のような１つ以上の金属の酸化物と結合される酸化鉄を含む数種類の磁性体のうち任意のものを指す。フェライトが採用されると、スロット型エアーギャップは、ダイヤモンド切刃又は他の適切な技術で切断されることができる。
【００３１】
示されている電力用インダクタのうちの一部が１回の巻きをしているが、当業者は、追加の巻きが採用され得るということを認識する。実施形態のうちの一部がそれぞれ１つまたは２つの導体を備える１つまたは２つの空洞を含む磁気コア材料のみを示しているが、追加の導体が本発明から離脱せずにそれぞれ空洞及び／又は追加の空洞に採用され得る。インダクタの断面の形態が正方形として示されているが、長方形、円形、長円形、楕円形等のような適切な形態がまた考慮される。
【００３２】
本実施形態による電力用インダクタは、最大１００アンペア（Ａ）までの直流電流を処理する能力及び５００ｎＨ以下のインダクタンスを有する。例えば、５０ ｎＨの通常のインダクタンス値が使用される。本発明がＤＣ／ＤＣコンバータと関連して説明されたが、当業者は、電力用インダクタが多様な分野の応用に使用され得るということを認識する。
【００３３】
当業者は、前述の説明から本発明の幅広い開示が多様な形態に実現され得るということを認識し得る。従って、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３４】
【図１】従来技術による例示的なＤＣ／ＤＣコンバータにおいて実現される電力用インダクタの機能ブロック及び電気回路図である。
【図２】従来技術による図１の電力用インダクタを示す斜視図である。
【図３】従来技術による図１及び２の電力用インダクタを示す断面図である。
【図４】本発明による磁気コア材料に配置されるスロット型エアーギャップを備える電力用インダクタを示す斜視図である。
【図５】図４の電力用インダクタを示す断面図である。
【図６】（ａ）及び（ｂ）は、スロット型エアーギャップに隣接し配置される渦電流減少材料を有する他の実施形態を示す断面図である。
【図７】スロット型エアーギャップ及び導体の上部間に追加的な空間を有する他の実施形態を示す断面図である。
【図８】それぞれスロット型エアーギャップを有する多数の空洞を備える磁気コアを示す断面図である。
【図９】（ａ）及び（ｂ）は、１つまたは両スロット型エアーギャップに隣接し配置される渦電流減少材料を有する図８の断面図である。
【図１０】（ａ）は、スロット型エアーギャップの他の側面位置を示す断面図であり、（ｂ）は、スロット型エアーギャップの更なる他の側面位置を示す断面図である。
【図１１】（ａ）及び（ｂ）は、それぞれ側面スロット型エアーギャップを有する多数の空洞を備える磁気コアを示す断面図である。
【図１２】多数の空洞及び中央スロット型エアーギャップを備える磁気コアを示す断面図である。
【図１３】多数の空洞及び拡大された中央スロット型エアーギャップを備える磁気コアを示す断面図である。
【図１４】多数の空洞、中央スロット型エアーギャップ、及び隣接した導体間に配置された低い透磁率の材料を備える磁気コアを示す断面図である。
【図１５】多数の空洞及び中央スロット型エアーギャップを備える磁気コアを示す断面図である。
【図１６】スロット型エアーギャップ及び１つ以上の絶縁導体を備える磁気コア材料を示す断面図である。
【図１７】「Ｃ」型磁気コア材料及び渦電流減少材料を示す断面図である。
【図１８】「Ｃ」型磁気コア材料、及びあわせ突出を有する渦電流減少材料を示す断面図である。
【図１９】多数の空洞を有する「Ｃ」型磁気コア材料、及び渦電流減少材料を示す断面図である。
【符号の説明】
【００３５】
５０，１００，１４２，１７０，１８０，２００：電力用インダクタ
３４、５８，１０４，１４４，１７２，１８８，２０４：磁気コア材料
５４，１１２，１１４、１３０，１３２、１５０，１５２：導体
６４：中央空洞
７０，１２０，１２２，１３８，１４０，１５６，１７５，１９２：スロット型エアーギャップ
８４：渦電流減少材料
１０８，１１０、１２６，１２８，１４６，１４８，１７４，１９０，２０６，２０８：空洞
８０，８０’：磁束
【図１】
2005039214.tif 000003
【図２】
2005039214.tif 000004
【図３】
2005039214.tif 000005
【図４】
2005039214.tif 000006
【図５】
2005039214.tif 000007
【図６】
2005039214.tif 000008
【図７】
2005039214.tif 000009
【図８】
2005039214.tif 000010
【図９】
2005039214.tif 000011
【図１０】
2005039214.tif 000012
【図１１】
2005039214.tif 000013
【図１２】
2005039214.tif 000014
【図１３】
2005039214.tif 000015
【図１４】
2005039214.tif 000016
【図１５】
2005039214.tif 000017
【図１６】
2005039214.tif 000018
【図１７】
2005039214.tif 000019
【図１８】
2005039214.tif 000020
【図１９】
2005039214.tif 000021